(57)【特許請求の範囲】
【請求項１】
自由に弾性変形しかつ丈夫で直径が３０ｍｍ以下のチューブ先端に、幅が３〜３０ｍｍで容易に弾性変形し傘状やＹ字状に湾曲させた複数の板バネを対称もしくは円周方向に均等間隔で取り付けること、
前記板バネは縁を鋸刃状に加工されていること、
チューブはチューブ径よりも若干太い内径を持つガイドパイプに通された後、回転力を与える駆動部と連結されていること、
前記ガイドパイプはガイドパイプの途中を略直角に曲げ可能に形成されていること、
を特徴とする小径から挿入できる鋼管内壁のケレン用治具。
【発明の詳細な説明】
【０００１】
【産業上の利用分野】
本発明は、主柱材を鋼管類で構成された鉄塔において、基礎部鋼管内部に溜まった土砂や昆虫の巣およびごみ等の異物や鋼管内面壁の錆を取り除くために、主柱材の基礎位置に取り付けられた遮水板の細長い排水溝から容易に挿入でき、効率よく鋼管内部壁のケレン作業ができる、小径から挿入できる鋼管内壁のケレン用治具に関する。
【０００２】
【従来の技術】
送電用や無線用のなどの塔状鋼構造物（以降、鉄塔と呼称）の主柱材に鋼管が用いられる場合、鋼管同士はフランジで隙間がないようにボルト接合され、主柱材頂部は遮水板を、主柱材の最下部は排水用の溝を備えた遮水板を取り付けられており、雨水やごみ等が入り込まないようにされている。ところが、鋼管鉄塔を長年使用すると、遮水板に備えてある排水溝から昆虫等が進入して巣を作ったり、土砂やごみが入りこんで固まってこびりついたりすることがある。これらの堆積物は鋼管内部壁の腐食の原因になっている。
【０００３】
これらの堆積物に対して、従来は基礎最下位置に設置された遮水板にある排水溝より、針金や棒等を差し込み、人手によりはつり落とす方法が取られてきた。また、実用新案第３０５６３９５号の『鋼管鉄塔の主柱材に取り付けられた基礎遮水板より挿入できる鋼管内異物粉砕機』のような治具を用いて、鋼管内部にこびりついた異物を粉砕する方法が取られてきた。
【０００４】
しかし、針金や棒等の先端が細い道具で鋼管内部を掃除しても、偏った部分しか掃除できない問題があった。そのため、鋼管内部全面を掃除するには、多くの労力と時間を費やす必要があったが、何百基何千基と点在して建設されている鉄塔すべての鋼管内部清掃には莫大な時間と労力が必要であった。そのため、実用新案第３０５６３９５号の『鋼管鉄塔の主柱材に取り付けられた基礎遮水板より挿入できる鋼管内異物粉砕機』が開発されたが、管内全体の異物と管内壁の錆をきれいに取り除くための効率性に改善の余地があった。
【０００５】
【発明が解決しようとする課題】
本発明は、このような問題点に鑑みてなされたものであり、鉄塔主柱材に鋼管が使用された場合に、主柱材最下位置に備えられた遮水板の細長い排水溝より容易に挿入でき、鋼管内部の遮水板付近で固まった土砂や昆虫の巣およびごみ等堆積物を粉砕して取り除き、かつ鋼管内部壁の錆をきれいにかつ容易にムラ無くケレンできる、鋼管内部のケレン用治具を提供しようとするものである。
【０００６】
【課題を解決するための手段】
上記目的を達成するために、本発明における小径から挿入できる鋼管内壁のケレン用治具は、自由に弾性変形しかつ丈夫で直径が３０ｍｍ以下のチューブ先端に、幅が３〜３０ｍｍで容易に弾性変形しＹ字状や傘状に湾曲させた複数の板バネを対称もしくは円周方向に均等間隔で取り付け、チューブをチューブ径よりも若干太い内径を持ちかつ遮水板の幅よりも直径が細いガイドパイプに通した後、回転力を与える駆動部と連結する。前記ガイドパイプはガイドパイプの途中を略直角に曲げ可能に形成されている。
【０００７】
さらに、小径から挿入できる鋼管内壁のケレン用治具の板バネ部は、縁を鋸刃状に加工する。
【発明の実施の形態】
以下、発明の実施の形態を実施例にもとづき図面を参照して説明する。
【０００８】
図１は、小径から挿入できる鋼管内壁のケレン用治具の一例である。小径から挿入できる鋼管内壁のケレン用治具は、湾曲させた板バネの端部１と、自由に弾性変形しかつ丈夫であるチューブ２が接合され、板バネ１はチューブ２を中心として複数枚が対称に接合されている。チューブ２は、チューブ径より若干内径が太く、途中を略直角に曲げ可能に形成されているガイドパイプ３に通された後、回転力を与えられる駆動部４へ接合される。前記ガイドパイプ３の先端付近にはワイヤー８が取付けられており、ワイヤー８はガイドパイプ後端付近に取付けられているワイヤー固定金具９を介して駆動部４方向に延びている。
【０００９】
図２は小径から挿入できる鋼管内壁のケレン用治具先端の上面図の一例である。湾曲させた板バネ１の縁に鋸刃状５の加工を施すことで、板バネ部の鋸刃が管内に溜まった土砂や蜂の巣を容易に砕き、かつ管内部壁Ｅに発生した錆等を容易に削ることができる。
【００１０】
図３は鋼管鉄塔の主柱材最下部の鋼管Ａに設けられた遮水板Ｂの排水溝Ｃの概要図である。小径から挿入できる鋼管内壁のケレン用治具に用いられるガイドパイプ３は、径が遮水板Ｂの排水溝Ｃの幅よりも細いものを用い、ガイドパイプ３の途中を略直角に曲げ可能に形成されている。小径から挿入できる鋼管内壁のケレン用治具は、先端にある板バネ１が容易に変形するため、板バネの幅が遮水板に備えられた排水溝Ｃの幅よりも細いものを選択することで、鋼管鉄塔の主柱材最下部の鋼管Ａに設けられた遮水板の排水溝Ｃより、板バネ部１を変形させて容易に管内へ挿入できる。
【００１１】
図４は小径から挿入できる鋼管内壁のケレン用治具を、遮水板Ｂの排水溝Ｃから挿入し、ガイドパイプ３の途中を略直角に曲げ、鋼管鉄塔主柱材の鋼管Ａの脚部鋼管内部Ｄへ設置した様子である。ケレン用治具先端に配置された板バネ１は、鋼管内壁Ｅの直径に応じて変形し、板バネの一部は鋼管内壁Ｅに密接している。板バネ１と鋼管内部壁Ｅが密接する長さは、板バネの弾性力と鋼管直径に対する板バネの長さや形状により容易に調節できる。また、チューブ先端に板バネを対称または等分布間隔に配置することで、ケレン用治具を管内に挿入すれば、チューブは鋼管中心部に自然と配置されるようになる。
【００１２】
ケレン用治具は、板バネ１と連結された自由に変形しかつ丈夫なチューブ２をガイドパイプ３に通過させておくことで、チューブ２が主柱材最下部の遮水板の排水溝Ｃでよじれるのを防げるため、ケレン用治具先端の板バネ部１は鋼管内部Ｄで長手方向の移動が容易かつ自由にできる。
【００１３】
ケレン用治具の板バネ１を鋼管内部Ｄへ挿入して、鋼管内部壁Ｅに密接させた状態で、鋼管外部の駆動部４からチューブの長手方向軸回りの回転力を与えてやると、チューブ先端に取り付けられた板バネ１は鋼管内部壁Ｅと密着した部分を削りながら回転し、鋼管内部壁Ｅのケレンができる。なお、チューブ１はガイドパイプ内で回転するため、チューブが鉄塔主柱材鋼管Ａや遮水板Ｂに接することなく、安全に作業できる。
【００１４】
そして、作業内容や鋼管径により、ケレン治具に取り付ける板バネ１の形状や長さを変えてやることで、ケレン作業の効果を変えることができる。
【００１５】
例えば図５に示すように、ケレン用治具の板バネを上に凸の傘状に湾曲させた形状６であれば、板バネ先端部分が鋼管内部壁Ｅと密接し、範囲は狭いながらも板バネの弾性回復力と駆動部４から与えられる回転の遠心力により集中的に鋼管内部壁Ｅのケレンができる。また、鋼管Ａの径の細いものから太いものまでに対応できる。
【００１６】
逆に、例えば図６に示すように、ケレン用治具の板バネを下に凸のＹ字状に湾曲させた形状７であれば、板バネは広い範囲で交換内部壁に密接するため、駆動部４から与えられる回転力による遠心力で１度に広い範囲の鋼管内部壁Ｅのケレンができる。
【００１７】
さらに、板バネ部１の縁に鋸刃５状の加工を施しておけば、板バネ部の鋸刃が管内に溜まった土砂や蜂の巣を容易に砕き、かつ管内部壁に発生した錆等を容易に削ることができる。
【００１８】
【発明の効果】
本発明は、以上に説明した手順で行うことにより、以下に記載するような効果を奏する。
【００１９】
以上に示した通り、「請求項１」の小径から挿入できる鋼管内壁のケレン用治具は、鋼管鉄塔の遮水板に備えられた排水溝より容易に管内部へ挿入でき、挿入後はケレン治具の先端に供えられた板バネが弾性変形して鋼管内部壁と密接し、その状態で鋼管円周方向に回転力を与えるため、板バネと鋼管内壁面がこすれて、鋼管内部に有る堆積物の粉砕や、鋼管内部壁のケレンができる。また、板バネのわん曲形状や長さの調節により、鋼管内部壁の密接面積や遠心力の効果を変えることができるため、鋼管径やケレン範囲に合わせて適用可能である。
【００２０】
また、小径から挿入できる鋼管内壁ケレン用治具の板バネの縁を鋸刃状に加工することで、鋼管内部に溜まっている土砂やゴミが取り除きやすくなり、鋼管内部壁のケレン作業の効率は上がる。また、ケレン用治具の板バネを下に凸のＹ字状に湾曲させた形状の場合、板バネの回復弾性力はほとんど期待できないが、板バネの縁を鋸刃状にしたことで、回転力のみでも、管内を効果的にケレンができる。
【図面の簡単な説明】
【図１】 小径から挿入できる鋼管内壁のケレン用治具の全体図。
【図２】 小径から挿入できる鋼管内壁のケレン用治具の平面図。
【図３】 鋼管鉄塔に使用される遮水板の概要図。
【図４】 小径から挿入できる鋼管内壁のケレン用治具を、遮水板の排水溝から挿入し、鋼管鉄塔主柱材の脚部鋼管内へ設置した状態図。
【図５】 上に凸の傘状に湾曲させた板バネを取り付けた鋼管内壁のケレン用治具の部分図。
【図６】 下に凸のＹ字状に湾曲させた板バネを取り付けた鋼管内壁のケレン用治具の部分図。
【符号の説明】
Ａ    鋼管部材
Ｂ    遮水板
Ｃ    排水溝
Ｄ    鋼管内部
Ｅ    鋼管内部壁
１ 板バネ
２ チューブ
３ ガイドパイプ
４ 駆動部
５ 鋸刃
６ 上に凸の傘状に湾曲させた板
７ 下に凸のＹ字状に湾曲させた板バネ
８ ワイヤー
９ ワイヤー固定金具
【図１】
0004143997.tif 000002
【図２】
0004143997.tif 000003
【図３】
0004143997.tif 000004
【図４】
0004143997.tif 000005
【図５】
0004143997.tif 000006
【図６】
0004143997.tif 000007